(57)【要約】【課題】載置台としても使用できるカウンターを着脱自在かつスライド自在に、簡単な構造で見栄えよく備えた洗面化粧台を提供する。【解決手段】駆体壁７に接して配置される洗面化粧台Ａと上記駆体壁７に横方向に設けられたスライドレール４に着脱自在に取り付けられるカウンター１とからなり、該カウンター１は洗面化粧台Ａの洗面ボウル２の上方を覆うとともに、横方向にスライド自在とされ、載置台としても使用される。好ましくは、上記洗面化粧台Ａが洗濯機Ｂと並設され、カウンター１が横方向にスライドして洗濯機Ｂを覆うようにされる。【選択図】図２
2006296938.tif 000002
【特許請求の範囲】
【請求項１】
駆体壁に接して配置される洗面化粧台と上記駆体壁に横方向に設けられたスライドレールに着脱自在に取り付けられるカウンターとからなり、該カウンターは洗面化粧台の洗面ボウルの上方を覆うとともに、横方向にスライド自在とされ、載置台としても使用されるカウンター付き洗面化粧台。
【請求項２】
上記洗面化粧台が洗濯機と並設され、カウンターが横方向にスライドして洗濯機を覆うとともに、載置台として使用される請求項１に記載のカウンター付き洗面化粧台。
【請求項３】
上記カウンターの裏面に部分的に鏡を貼設するとともに、ヒンジ結合により上記鏡貼設部分が水平から上方向垂直に回動自在とされ、上記カウンターの裏面が鏡として使用される請求項１に記載のカウンター付き洗面化粧台。
【発明の詳細な説明】
【技術分野】
【０００１】
本発明は、洗面化粧台に関する。さらに詳しくは、洗面・脱衣室に設けられ、カウンターを備える洗面化粧台に関する。
【背景技術】
【０００２】
洗濯機で洗う前の衣類や、洗濯後の洗い物は、通常、床面に置いたかご等に一時的に入れ置くことが多い。このとき、かご等はできるだけ洗濯機の近くに置かれるため、洗面・脱衣室の床面がかご等によって占められ、乱雑となったり、使用者に狭小感を与えるという問題がある。このような問題を解決するため、例えば、下記特許文献１に示す技術が提案されている。
【特許文献１】特開２０００−７００５８号公報（第１〜４頁、第４図、第６図）
【発明の開示】
【発明が解決しようとする課題】
【０００３】
上記特許文献１に開示された技術においては、特許文献１の第６図に示されているように、載置台として用いられる天板２２は支持アーム１９によって着脱自在に支持されている。しかしながら、支持アーム１９は特許文献１の第４図に示されているように、第１アーム１９ａと、第１アーム１９ａに水平揺動可能にネジにより固定された蝶番１９ｂと、蝶番１９ｂにネジにより水平に固定された第２アーム１９ｃとからなり、構造が複雑で、嵩高く、見映えが悪いという問題がある。本発明は上記問題を解決して、載置台としても使用できるカウンターを着脱自在かつスライド自在に、簡単な構造で見栄えよく備えた洗面化粧台を提供することを、その課題とする。
【課題を解決するための手段】
【０００４】
上記課題を解決するために、本発明においては、つぎのような技術的手段を講じている。すなわち、本発明によれば、駆体壁に接して配置される洗面化粧台と上記駆体壁に横方向に設けられたスライドレールに着脱自在に取り付けられるカウンターとからなり、該カウンターは洗面化粧台の洗面ボウルの上方を覆うとともに、横方向にスライド自在とされ、載置台としても使用されるカウンター付き洗面化粧台が提供される。上記洗面化粧台が洗濯機と並設され、カウンターが横方向にスライドして洗濯機を覆うとともに、載置台として使用されることが好ましい。また、上記カウンターの裏面の一部に鏡を設けるとともに、鏡貼設部分がヒンジ結合により水平から上方向垂直に回動自在とし、上記カウンターの裏面を鏡として使用してもよい。
【発明の効果】
【０００５】
請求項１に記載の発明にかかるカウンター付き洗面化粧台は上記のとおりであり、カウンターが洗面化粧台の洗面ボウルの上方を覆うとともに、着脱自在、かつ、横方向にスライド自在とされ、載置台としても使用できるため、入浴や洗濯等の際、衣類を上記カウンターの上に仮置きすることができる。その結果、しゃがむ等の無駄な動作を行うことなく仮置きでき、また、洗面・脱衣室の床面が整然となり、床面を広く使うことができる。
【０００６】
上記洗面化粧台を洗濯機と並設し、カウンターを横方向にスライドさせて洗濯機を覆えるため、カウンターによって見栄えよく洗濯機が隠すことができる。また、洗面ボウルを使って洗面や化粧をするとき、上記カウンターを洗面や化粧用の小物類を載置するための載置台として使用できる。
【０００７】
上記カウンターの裏面に部分的に鏡を貼設するとともに、ヒンジ結合により上記鏡貼設部分が水平から上方向垂直に回動自在とされ、上記カウンターの裏面が鏡として使用できるため、洗面化粧台の後方に窓等が設けられ、鏡を取り付けることができない場合に、カウンターを上方向垂直に回動してカウンター裏面をミラーキャビネットとすることができる。
【発明を実施するための最良の形態】
【０００８】
以下、本発明の実施形態について図面を参照して、詳細に説明する。図１は、本発明にかかるカウンター付き洗面化粧台Ａを洗濯機Ｂと並設した状態を示す一部断面斜視図である。上記洗面化粧台Ａは、駆体壁７に接して配置され、カウンター１は上記駆体壁７に横方向に埋め込むように設けられたスライドレール４に着脱自在、かつ、スライド自在に取り付けられている。図１に示す状態においては、カウンター１は洗面化粧台Ａの後記する洗面ボウル２の上方を覆って隠し、例えば、洗濯機Ｂを使用するときには、洗濯物を上記カウンター１の上に仮置きすることができる。
【０００９】
図２は、図１に示したカウンター１を横方向にスライドした状態を示す一部断面斜視図である。この状態においては、洗面ボウル２や固定鏡３を使って洗面や化粧をするとき、カウンター１は洗濯機Ｂの上方を覆って見栄えよく隠すとともに、洗顔や化粧時に使用する小物類を載置するための載置台として使用できる。
【００１０】
図３は、カウンター１がスライドレール４に、スライド自在に係合した状態を示す一部断面説明図である。図３によく示されているように、洗濯機Ｂを覆ったカウンター１は、カウンター１に付設されたスライド係合部１１をスライドレール４に係合することにより、スライド自在に支持されている。上記スライド係合部１１はスライドレール４によって、いわゆるけんどん式に係合され、カウンター１を持ち上げて手前に引き上げることにより、簡単に外れ、また逆に操作することにより簡単に取り付けることができる。
【００１１】
図４は、上記実施形態の変形例を示す一部断面説明図である。図４において、カウンター１の裏面には鏡３１が部分的に貼設され、ヒンジ５によるヒンジ結合により鏡３１の貼設部分が水平から上方向垂直に回動自在とされている。また、符号６は照明灯を示し、カウンター１を上方に回動したとき、ミラーキャビネットとして機能するようにされている。したがって、図４に示す変形例は、後方に窓等が設けられ、鏡を取り付けることができない場合等に有利に使用できる。
【図面の簡単な説明】
【００１２】
【図１】本発明にかかるカウンター付き洗面化粧台を洗濯機と並設した状態を示す一部断面斜視図である。
【図２】図１に示すカウンターを横方向にスライドした状態を示す一部断面斜視図である。
【図３】カウンターがスライドレールにけんどん式に係合した状態を示す一部断面説明図である。
【図４】本発明のカウンター付き洗面化粧台の実施形態の変形例を示す一部断面説明図である。
【符号の説明】
【００１３】
Ａ          本発明にかかるカウンター付き洗面化粧台
Ｂ          洗濯機
１          カウンター
１１        スライド係合部
２          洗面ボウル
３          固定鏡
３１        鏡
４          スライドレール
５          ヒンジ
６          照明灯
７          駆体壁
【図１】
2006296938.tif 000003
【図２】
2006296938.tif 000004
【図３】
2006296938.tif 000005
【図４】
2006296938.tif 000006